(57)【要約】【課題】チューブで外装した電線端末に接続するコネクタを屈曲する場合、チューブから引き出される電線端末およびコネクタもチューブで保護できるワイヤハーネスの端末保護構造を提供する。【解決手段】電線外装用の樹脂製の筒状のチューブの長さ方向の端部に断面形状が円弧状の突出片を設け、ワイヤハーネスの電線を前記チューブに挿通し、該チューブの前記突出片を前記電線のコネクタと接続する端末側とし、前記コネクタと接続した前記電線端末を前記突出片の根元側より引き出すと共に、引き出した前記電線および該電線に接続した前記コネクタと共に前記突出片を屈曲し、該屈曲した突出片で屈曲した電線の外周側および前記コネクタの外側面を覆う。【選択図】図１
2014011824.tif 000002
【特許請求の範囲】
【請求項１】
電線外装用の樹脂製の筒状のチューブの長さ方向の端部に断面形状が円弧状の突出片を設け、
ワイヤハーネスの電線を前記チューブに挿通し、該チューブの前記突出片を前記電線のコネクタと接続する端末側とし、前記コネクタと接続した前記電線端末を前記突出片の根元側より引き出すと共に、引き出した前記電線および該電線に接続した前記コネクタと共に前記突出片を屈曲し、該屈曲した突出片で屈曲した電線の外周側および前記コネクタの外側面を覆うことを特徴とするワイヤハーネス端末の保護構造。
【請求項２】
前記チューブの先端から引き出した前記電線は１８０度屈曲して接続した前記コネクタの一側面を前記チューブの外周面に添わせ、該コネクタの他方側面の前記外側面に前記突出片を添わせ、該状態で該突出片、前記コネクタおよび前記チューブに粘着テープを巻き付けて固着している請求項１に記載のワイヤハーネス端末の保護構造。
【請求項３】
前記チューブの端部に形成する前記突出片は、円筒状のチューブを先端側から半周部を所要長さ切除して断面半円弧状の突出片として形成し、
前記突出片のチューブ軸線方向の長さ（Ｌ）は、前記電線端末に接続するコネクタの幅寸法（ａ）と、該コネクタの長さ寸法（ｂ）と、電線を挿通したチューブ外径（ｄ）の合計と同等（Ｌ≒ａ＋ｂ＋ｄ）としている請求項１または請求項２に記載のワイヤハーネス端末の保護構造。
【請求項４】
前記チューブはワイヤハーネスの幹線から分岐する枝線に外装するものとし、該チューブの長さ方向の両端に前記突出片を設け、これら両端の突出片は周方向で同一側に突設しており、
前記枝線に外装する前記チューブの突出片を前記コネクタ屈曲側と反対側に位置させると共に、前記幹線の分岐側に位置する前記チューブの他端の突出片は前記コネクタ屈曲方向と反対方向に屈曲させて前記幹線の分岐点を挟む一方側の幹線の外面に添わせている請求項１乃至請求項３のいずれか１項に記載のワイヤハーネス端末の保護構造。
【発明の詳細な説明】
【技術分野】
【０００１】
本発明はワイヤハーネス端末の保護構造に関し、詳しくは、ワイヤハーネス端末のコネクタ接続部もワイヤハーネス外装材により保護できるようにするものである。
【背景技術】
【０００２】
自動車に配索するワイヤハーネスの電線群は、樹脂製の丸チューブやコルゲートチューブ等からなる外装材に通して集束および保護を図る場合が多い。該ワイヤハーネスの幹線から分岐した枝線端末や幹線端末に接続されるコネクタが、枝線や幹線の電線の軸線方向に対して屈曲した向きで機器や相手方コネクタと接続される場合、外装材のチューブの先端から引き出される電線端末を屈曲し、該電線端末に接続するコネクタを所要の向きにする必要があり、電線端末が外装材で保護されないと共に、コネクタの電線接続側も保護されない問題がある。
具体的には、図８に示すように、チューブ１００の端末から引き出す電線Ｗを１８０度屈曲して折り返し、該電線Ｗの端末に接続したコネクタＣを電線Ｗの先端側と粘着テープＴで固着している。この状態で、電線Ｗの端末の１８０度屈曲部分ＷｂおよびコネクタＣの電線接続側面Ｃｓはチューブで保護されていない。
【０００３】
前記のような、チューブの先端から引き出す電線を屈曲する場合、本出願人は特開２００６−４０８１６号公報で、図９（Ａ）（Ｂ）で示すように、チューブ１００Ａの先端から切り込み１０６を設け、該切り込み１０６を通して電線Ｗを引き出し、電線端末に接続したコネクタＣを電線の軸線方向に対して直交方向の姿勢としたワイヤハーネス端末の構造を提供している。
電線端末に接続したコネクタＣを１８０度向きを変える場合には図１０に示す構成となり、前記図８と同様にコネクタＣとチューブ１００Ａに粘着テープＴを巻き付けて固着している。
【先行技術文献】
【特許文献】
【０００４】
【特許文献１】特開２００６−４０８１６号公報
【発明の概要】
【発明が解決しようとする課題】
【０００５】
前記図１０に示すように、チューブ１００Ａの先端からの切り込み１０６を通して電線Ｗを引き出した場合においても、引き出した１８０度屈曲部分ＷｂおよびコネクタＣの電線接続側面Ｃｓは保護されない。また、チューブ１００Ａの切り込み１０６が設けられた先端部分１００Ａ−ｒが残ってしまい、コネクタＣの電線接続側面Ｃｓからの交差寸法Ｓよりはみ出し、外部干渉材と干渉する可能性がある。  
【０００６】
本発明は前記問題に鑑みてなされたもので、チューブから引き出される電線端末およびコネクタの電線接続側面の保護も図れるようにし、かつ、電線が引き出される位置からチューブの先端が交差寸法を越えて突出しないようにすることを課題としている。
【課題を解決するための手段】
【０００７】
前記課題を解決するため、本発明は、電線外装用の樹脂製の筒状のチューブの長さ方向の端部に断面形状が円弧状の突出片を設け、
ワイヤハーネスの電線を前記チューブに挿通し、該チューブの前記突出片を前記電線のコネクタと接続する端末側とし、前記コネクタと接続した前記電線端末を前記突出片の根元側より引き出すと共に、引き出した前記電線および該電線に接続した前記コネクタと共に前記突出片を屈曲し、該屈曲した突出片で屈曲した電線の外周側および前記コネクタの外側面を覆うことを特徴とするワイヤハーネス端末の保護構造を提供している。
【０００８】
前記のように、チューブの端部に円弧状の突出片を設けておき、該突出片を屈曲する電線端末と共に屈曲して、電線端末の外周から該電線端末に接続するコネクタの外側面に位置させると、該突出片でチューブから突出した電線を覆って電線を保護できると共に、該電線を挿入するコネクタの電線挿入面（即ち、コネクタ後端面）も屈曲した電線を介して外周側の屈曲した突出片で覆うことができ、コネクタへの異物侵入等も防止できる。
さらに、前記従来例の図１０に示すような、電線端末の屈曲位置からチューブのみが軸線方向に突出することは無く、コネクタ接続位置からチューブ先端までの寸法が交差寸法からはみ出すことはなく、周辺部材との干渉を防止できる。
【０００９】
前記チューブ先端から引き出した前記電線は１８０度屈曲して接続したコネクタの一側面を前記チューブの外周面に添わせ、該コネクタの他方側面の前記外側面に前記突出片の先端部を添わせ、該状態で該突出片、前記コネクタおよび前記チューブに粘着テープを巻き付けて固着している。
【００１０】
前記チューブの端部に形成する前記突出片は、円筒状のチューブを先端側から半周部を所要長さ切除して断面半円弧状の突出片（所謂、ベロ状）として形成し、
前記突出片のチューブ軸線方向の長さ（Ｌ）は、前記電線端末に接続するコネクタの幅寸法（ａ）と、該コネクタの長さ寸法（ｂ）と、電線を挿通したチューブ外径（ｄ）の合計と同等（Ｌ≒ａ＋ｂ＋ｄ）としていることが好ましい。
【００１１】
本発明で用いるチューブは、長尺なチューブ素材を電線の外装材として必要な長さで切断して定尺チューブとした後に、前記のように、該定尺チューブを先端から所要長さ半周部を切除することで、前記円弧状の突出片を先端に突出した外装材のチューブを簡単に設けることができる。
【００１２】
前記チューブはワイヤハーネスの幹線から分岐する枝線に外装するものとし、該チューブの長さ方向の両端に前記突出片を設け、これら両端の突出片は周方向で同一側に突設しており、
前記枝線に外装する前記チューブの突出片を前記コネクタ屈曲側と反対側に位置させると共に、前記幹線の分岐側に位置する前記チューブの他端の突出片は前記コネクタ屈曲方向と反対方向に屈曲させて前記幹線の分岐点を挟む一方側の幹線の外面に添わせている前記チューブの端部に形成する前記突出片は、円筒状のチューブを先端側から半周部を所要長さ切除して断面半円弧状の突出片として形成することが好ましい。
【００１３】
前記のようにチューブの両端に、同一周方向に突出片を突設し、該チューブの分岐位置での突出片の屈曲方向と、コネクタを接続した枝線端末側の突出片の屈曲方向とを逆方向としておくことで、コネクタ側と共に屈曲する突出片の屈曲方向を間違えたり、忘れたりすることを防止でき、正規方向に電線端末およびコネクタを屈曲させて枝線およびチューブと粘着テープで固定することができる。
【００１４】
前記チューブ自体は、従来からワイヤハーネス外装材として汎用されている塩化ビニルやポリオレフィン系樹脂等で成形される柔軟性を有するチューブを用いることがコスト等の点から好ましい。
【発明の効果】
【００１５】
前記のように、本発明では、円筒状の樹脂チューブ（所謂、丸チューブ）の先端にベロ状の円弧状の突出片を設け、この突出片で電線端末と該電線端末に接続したコネクタの一側を覆い、該突出片をコネクタおよび電線端末と共に屈曲することで、電線およびコネクタの電線挿入面を保護でき、かつ、チューブの先端が屈曲したコネクタから飛び出して外部材と干渉するのを防止できる。さらに、電線端末のコネクタを突出片で覆われた側と反対側に突出片と共に屈曲すればよいため、コネクタの屈曲方向を間違えるのを確実に防止できる。
【００１６】
さらにまた、前記チューブの長さ方向の両端に突出片を設けておくと、コネクタを接続した電線が幹線から分岐する枝線である場合、枝線に外装するチューブの他方の突出片を幹線の外周面に押し当ててテープ巻きすることで、チューブを枝線に簡単かつ確実に固着できる。
【図面の簡単な説明】
【００１７】
【図１】本発明の第１実施形態のワイヤハーネス端末の保護構造を示す斜視図である。
【図２】前記ワイヤハーネスの枝線に外装するチューブを示し、（Ａ）は斜視図、（Ｂ）は要部拡大斜視図、（Ｃ）はチューブの突出片の形成方法を示す図面である。
【図３】前記チューブに設ける突出片の長さの設定基準を説明する図面である。
【図４】（Ａ）（Ｂ）はワイヤハーネス組立作業台でのワイヤハーネスの組立方法を示す斜視図である。
【図５】前記チューブの屈曲方向を示す要部拡大図である。
【図６】（Ａ）は前記チューブで保護された枝線端末部分を示す図面、（Ｂ）は（Ａ）のＢ−Ｂ線断面図である。
【図７】第２実施形態を示す正面図である。
【図８】従来例を示す図面である。
【図９】（Ａ）（Ｂ）は他の従来例を示す図面である。
【図１０】図９の従来例のチューブを用いて、コネクタを１８０度折り返した場合を示す図面である。
【発明を実施するための形態】
【００１８】
以下、本発明の実施形態を図面を参照して説明する。
図１乃至図６に第１実施形態を示す。
第１実施形態は自動車に配索するワイヤハーネス１の幹線１Ａから枝線１Ｂが分岐し、該枝線１Ｂに円筒状の樹脂製のチューブ２（以下、チューブ２と称す）を外装しており、該チューブ２で外装した枝線１Ｂの端末にコネクタ３を接続し、該コネクタ３をチューブ２の先端から１８０度屈曲して折り返し、この状態でコネクタ３とチューブ２とに粘着テープ４を巻き付けてコネクタ３を保持している。
また、図１では、幹線１Ａの外装材を図示していないが、幹線１Ａは図６に示すように粘着テープ８をハーフラップ巻して結束保護している。なお、幹線１Ａを軸線方向のスリットを設けたコルゲートチューブまたは樹脂チューブで外装してもよい。
【００１９】
図２に示すチューブ２は、塩化ビニル、ポリエチレンあるいはポリプロピレンからなるポリオレフィン系樹脂から成形され、柔軟性を有する汎用されているチューブを素材としている。チューブ２は長尺な素材チューブを枝線１Ｂに相当する長さで切断して定尺な長さとし、図２（Ｃ）に示すように、該チューブの長さ方向の両端に同一側の半周を切除して、断面半円弧状の突出片２ａと２ｂを周方向で同一側に設けている。
【００２０】
前記突出片２ａ、２ｂの長さ（Ｌ）は同等とし、図３、図５および図６に示すように、該長さ（Ｌ）は枝線１Ｂの端末に接続するコネクタ３の幅寸法（ａ）と、該コネクタ３の長さ寸法（ｂ）と、枝線１Ｂを挿通したチューブ２の外径（ｄ）の合計と同等とし、（Ｌ≒ａ＋ｂ＋ｄ）としている。
【００２１】
前記したチューブ２の取り付け方法を説明する。  
図４（Ａ）（Ｂ）に示すように、ワイヤハーネス組立作業台１０上でワイヤハーネスを組み立てる時に前記チューブ２をワイヤハーネスの枝線１Ｂに外装する。
ワイヤハーネス組立作業台１０の上面に立設した電線受け治具１１でワイヤハーネス１を構成する電線群を支承しながら布線し、幹線１Ａから枝線１ＢがＴ字状に分岐する分岐位置ＰではＹ字状の電線受け治具１１Ａで幹線１Ａと枝線１Ｂの電線を分岐支持している。幹線１Ａの分岐位置Ｐを挟む一方側には、分岐位置Ｐから突出片２ａ、２ｂの長さ（Ｌ）に等しい間隔をあけて位置決め治具１２を立設し、かつ、枝線１Ｂの布線方向の先端にＵ字状の電線受け治具１１Ｂを立設している。
【００２２】
前記電線受け治具１１Ａで支承した電線群から枝線１Ｂを分岐させ、コネクタ３を端末に接続した枝線１Ｂの先端側を電線受け治具１１Ｂで支承する。この状態で、コネクタ３は電線受け治具１１Ｂの支持位置から先端側へ突出して位置する。
【００２３】
電線受け治具１１Ｂと１１Ａとで支持した枝線１Ｂに対して、突出側からチューブ２を枝線１Ｂに被せ、枝線１Ｂをチューブ２で外装する。チューブ２の挿入端の突出片２ｂが分岐位置Ｐの幹線１Ａに突き当たると、前記位置決め治具１２を立設している分岐位置Ｐを挟む幹線１Ａの一方側１Ａ−ａに屈曲して幹線１Ａの外周面に添わせ、突出片２ｂの先端を位置決め治具１２に突き当てる。
其の際、幹線１Ａの一方側１Ａ−ａには位置決め治具１２を立設しているため、チューブ２を枝線１Ｂに外装する際に突出片２ａ、２ｂが位置決め治具１２側に位置するように枝線１Ｂに外装し、かつ、位置決め治具１２側に突出片２ｂを屈曲すればよく、チューブ２の外装方向および突出片２ｂの屈曲方向（Ｘ１）を簡単に見分けることできる。
【００２４】
チューブ２の突出片２ｂを幹線の一方側１Ａ−ａに添わせて屈曲した状態で粘着テープ６を突出片２ｂと幹線の一方側１Ａ−ａに巻き付けてチューブ２の一端側を幹線１Ａに固定する。この状態で、チューブ２で外装した枝線１Ｂの端末に接続したコネクタ３は、図４に示すように、必要な曲げ方向（Ｘ２）に位置すると共に、該コネクタの曲げ方向（Ｘ２）と反対側にチューブ２の突出片２ａが位置する。
【００２５】
ついで、枝線１Ｂの端末側を電線受け治具１１Ｂから上方へ取り出し、図５に示すように、チューブ２の突出片２ａの根元側から枝線１Ｂの端末１Ｂ−ｂと該端末に接続したコネクタ３とチューブの突出片２ａを分岐位置Ｐ側に向けて１８０度折り返し、コネクタ３をチューブ２の外面に添わせる。該突出片２ａの屈曲方向（Ｘ２）は他方の突出片２ｂの屈曲方向（Ｘ１）と反対方向となり、コネクタ３に突出片２ａを被せるように屈曲させる。即ち、コネクタ３および突出片２ａの屈曲方向は前記位置決め治具１２の設置方向と逆方向となり、突出片２ａの配置方向と反対方向にコネクタ３および突出片２ａを屈曲すればよいため、コネクタ３および突出片２ａの屈曲方向の間違いを確実に防止できる。
【００２６】
突出片２ａ、枝線の端末１Ｂ−ｂおよびコネクタ３をＸ２方向に１８０度屈曲すると、突出片２ａは枝線の端末１Ｂ−ｂの外周に位置すると共にコネクタ３の外側面３ａに位置し、該突出片２ａの先端はコネクタの外側面３ａの先端に位置合わせする。前記チューブ２の突出片２ａの１８０度折り曲げは、突出片２ａを半円弧形状としているため、突出片２ａを略偏平状に広げて容易に折り曲げることができる。
【００２７】
ついで、前記突出片２ａ、枝線の端末１Ｂ−ｂおよびコネクタ３をＸ２方向に屈曲し、コネクタ３をチューブ２の外周面に当接した状態で、図６に示すように、粘着テープ４を巻き付ける。これにより、コネクタ３は所要の向きで枝線１Ｂに固着できると共に、チューブ２から引き出した枝線の端末１Ｂ−ｂを屈曲した突出片２ａでカバーできると共に、コネクタ３の外側面も突出片２ａでカバーでき、電線保護とコネクタ３の電線挿通側面３ｓへの異物混入を防止できる。さらに、チューブの突出片２ａを枝線端末およびコネクタ３と共に１８０度屈曲するため、コネクタ３の電線挿通側面３ｓからのチューブ突出片２ａの突出寸法Ｓを交差寸法（最大１５ｍｍ）未満に押さえることができる。
【００２８】
前記のように、外装材とするチューブ２の先端側の半周を切除して、円弧状の突出片２ａ、２ｂを設け、該チューブ２を枝線１Ｂに外装するだけで、該枝線の端末に接続したコネクタ３の折り曲げを、曲げ方向を間違うことなく確実に行えると共に、該コネクタ３の端面からのチューブ２の突出量を最小に抑制でき、しかも、チューブ２から引き出した枝線端末の保護およびコネクタの保護を同時に図ることができる。
【００２９】
図７に第２実施形態を示す。
第２実施形態では、ワイヤハーネス１の幹線１Ａの端末に接続したコネクタ３０を第１実施形態と同様に１８０度折り返している。該幹線１Ａに第１実施形態と同様なチューブ２０を外装し、該チューブ２０の一端に半円弧状の突出片２０ａを設けている。該チューブ２０の他端には突出片を設けていない。
【００３０】
前記チューブ２０の突出片２０ａは第１実施形態と同様に幹線１Ａの端末１Ａ−ｂおよびコネクタ３０と共に１８０度折り曲げ、該コネクタ３０とチューブ２０に粘着テープ４を巻き付けて固着している。
他の構成および作用効果は第１実施形態と同様であるため、説明を省略する。
【符号の説明】
【００３１】
１  ワイヤハーネス
１Ａ  幹線
１Ｂ  枝線
２  チューブ
２ａ、２ｂ  突出片
３  コネクタ
４  粘着テープ
【図１】
2014011824.tif 000003
【図２】
2014011824.tif 000004
【図３】
2014011824.tif 000005
【図４】
2014011824.tif 000006
【図５】
2014011824.tif 000007
【図６】
2014011824.tif 000008
【図７】
2014011824.tif 000009
【図８】
2014011824.tif 000010
【図９】
2014011824.tif 000011
【図１０】
2014011824.tif 000012